(57)【要約】【課題】より精度良く、放送が行われている周波数を検出することができる「ラジオ放送受信装置、放送周波数検出方法、放送周波数サーチ方法及び放送周波数スキャン方法」を提供する。【解決手段】受信強度（Ｓメータ値）がしきい値Th0 以上の周波数fmであり、かつ、その周波数fmの受信強度が、１ステップ離れて隣接する周波数fm-1及びfm+1の受信強度よりもＸ以上大きい周波数fmが、受信可能な放送が行われている周波数である放送受信周波数として検出される。ここで、Ｘの値は、その周波数fmの受信強度（Ｓメータ値）が大きいほど大きく設定される。【選択図】図３
2015201675.tif 000002
【特許請求の範囲】
【請求項１】
所定の周波数範囲中に所定の周波数間隔毎に配置された周波数の各々である放送可能周波数を用いて放送されるラジオ放送を受信するラジオ放送受信装置であって、
受信対象周波数として設定された放送可能周波数の放送信号を検出し、受信信号として出力する受信部と、
前記受信信号を音声信号に復調して出力する復調部と、
前記受信信号の強度を、前記受信部に受信対象周波数として設定されている放送可能周波数の受信強度値として検出する受信強度検出部と、
受信制御部とを有し、
前記受信制御部は、受信可能な放送が行われている周波数である放送周波数を検出する放送周波数検出部を有し、
当該放送周波数検出部は、前記受信強度値が所定のしきい値より大きい放送可能周波数であって、当該放送可能周波数の前記受信強度値に応じて定まる判定基準値以上、当該放送可能周波数の前記受信強度が、当該放送可能周波数に周波数の増減方向について両側に隣接する二つの放送可能周波数の前記受信強度値の双方よりも大きい放送可能周波数を前記放送周波数として検出し、
前記受信強度値に応じて定まる前記判定基準値は、前記受信強度値のレベルが大きいほど大きな値として定まることを特徴とするラジオ放送受信装置。
【請求項２】
請求項１記載のラジオ受信装置であって、
前記受信制御部は、サーチ制御部を有し、
当該サーチ制御部は、前記受信部に前記受信対象周波数として設定する放送可能周波数の周波数の増加方向または減少方向への順次更新を行いながら、前記放送周波数検出部に前記放送周波数を検出させ、前記放送周波数が検出されたならば、前記受信部に前記受信対象周波数として設定する放送可能周波数の前記順次更新を停止し、前記受信部の以降の前記受信対象周波数が検出された放送周波数となるように制御することを特徴とするラジオ受信装置。
【請求項３】
請求項１または２記載のラジオ受信装置であって、
前記受信制御部は、スキャン制御部と、プリセット周波数受信制御部とを有し、
当該スキャン制御部は、
前記所定の周波数範囲の全域に渡って、前記受信部に前記受信対象周波数として設定する放送可能周波数の周波数の増加方向または減少方向への順次更新を行いながら、前記放送周波数検出部に前記放送周波数を検出させ、放送周波数として検出された各放送可能周波数を、プリセット周波数として保存し、
前記プリセット周波数受信制御部は、前記保存されているプリセット周波数のうちからユーザによって選択されたプリセット周波数を、前記受信部に前記受信対象周波数として設定することを特徴とするラジオ受信装置。
【請求項４】
所定の周波数範囲中に所定の周波数間隔毎に配置された周波数の各々である放送可能周波数を用いて放送されるラジオ放送を受信するラジオ放送受信装置において、受信可能な放送が行われている周波数である放送周波数を検出する放送周波数検出方法であって、
前記ラジオ受信装置は、受信対象周波数として設定された放送可能周波数の放送信号を検出し、受信信号として出力する受信部と、前記受信信号を音声信号に復調して出力する復調部と、前記受信信号の強度を、前記受信部に受信対象周波数として設定されている放送可能周波数の受信強度値として検出する受信強度検出部とを有し、
当該放送周波数検出方法は、
前記受信強度値が所定のしきい値より大きい放送可能周波数を検出するステップと、
検出した放送可能周波数の前記受信強度に応じて、当該受信強度値のレベルが大きいほど大きな値となるように判定基準値を設定するステップと、
検出した放送可能周波数の前記受信強度が、設定された前記判定基準値以上、当該放送可能周波数当該放送可能周波数に周波数の増減方向について両側に隣接する二つの放送可能周波数の前記受信強度値の双方よりも大きい場合に、検出した放送可能周波数を前記放送周波数として検出するステップとを有することを特徴とする放送周波数探索方法。
【請求項５】
所定の周波数範囲中に所定の周波数間隔毎に配置された周波数の各々である放送可能周波数を用いて放送されるラジオ放送を受信するラジオ放送受信装置において、受信可能な放送が行われている周波数である放送周波数を探索する放送周波数サーチ方法であって、
前記ラジオ受信装置は、受信対象周波数として設定された放送可能周波数の放送信号を検出し、受信信号として出力する受信部と、前記受信信号を音声信号に復調して出力する復調部と、前記受信信号の強度を、前記受信部に受信対象周波数として設定されている放送可能周波数の受信強度値として検出する受信強度検出部とを有し、
当該放送周波数サーチ方法は、前記受信部に前記受信対象周波数として設定する放送可能周波数の周波数の増加方向または減少方向への順次更新を行いながら、放送周波数検出ステップを行って放送周波数を検出し、前記放送周波数が検出されたならば、前記受信部に前記受信対象周波数として設定する放送可能周波数の前記順次更新を停止し、前記受信部の以降の前記受信対象周波数が検出された放送周波数となるように制御する探索ステップを有し、
前記放送周波数検出ステップにおいて、前記受信強度値が所定のしきい値より大きい放送可能周波数であって、当該放送可能周波数の前記受信強度値に応じて当該受信強度値のレベルが大きいほど大きな値となるよう定まる判定基準値以上、当該放送可能周波数の前記受信強度が、当該放送可能周波数に周波数の増減方向について両側に隣接する二つの放送可能周波数の前記受信強度値の双方よりも大きい放送可能周波数を前記放送周波数として検出することを特徴とする放送周波数サーチ方法。
【請求項６】
所定の周波数範囲中に所定の周波数間隔毎に配置された周波数の各々である放送可能周波数を用いて放送されるラジオ放送を受信するラジオ放送受信装置において、受信可能な放送が行われている周波数である放送周波数の全てを探索し、プリセット周波数として登録する放送周波数スキャン方法であって、
前記ラジオ受信装置は、受信対象周波数として設定された放送可能周波数の放送信号を検出し、受信信号として出力する受信部と、前記受信信号を音声信号に復調して出力する復調部と、前記受信信号の強度を、前記受信部に受信対象周波数として設定されている放送可能周波数の受信強度値として検出する受信強度検出部とを有し、
当該放送周波数スキャン方法は、
前記所定の周波数範囲の全域に渡って、前記受信部に前記受信対象周波数として設定する放送可能周波数の周波数の増加方向または減少方向への順次更新を行いながら、放送周波数検出ステップを行って放送周波数を検出し、放送周波数として検出された各放送可能周波数を、プリセット周波数として登録するプリセット周波数登録ステップを有し、
前記放送周波数検出ステップにおいて、前記受信強度値が所定のしきい値より大きい放送可能周波数であって、当該放送可能周波数の前記受信強度値に応じて当該受信強度値のレベルが大きいほど大きな値となるよう定まる判定基準値以上、当該放送可能周波数の前記受信強度が、当該放送可能周波数に周波数の増減方向について両側に隣接する二つの放送可能周波数の前記受信強度値の双方よりも大きい放送可能周波数を前記放送周波数として検出することを特徴とする放送周波数スキャン方法。
【発明の詳細な説明】
【技術分野】
【０００１】
本発明は、ラジオ放送受信装置において、受信可能な放送が行われている周波数を検出する技術に関するものである。
【背景技術】
【０００２】
ラジオ放送を受信するラジオ放送受信装置において受信可能な放送が行われている周波数を検出する技術としては、受信する周波数を所定のステップで変化させながら、受信強度（Ｓメータ値）が所定のしきい値より大きく、かつ、１ステップ隣接する周波数の受信強度よりも大きい周波数を探索し、探索した周波数を受信可能な放送が行われている周波数として決定する技術が知られている（たとえば、特許文献１）。
【先行技術文献】
【特許文献】
【０００３】
【特許文献１】特開２００６-３４０００４号公報
【発明の概要】
【発明が解決しようとする課題】
【０００４】
上述した放送が行われている周波数を探索する技術によれば、ノイズレベルが前記しきい値よりも大きい周波数帯域では、実際には放送が行われていない周波数を、放送が行われている周波数として誤探索してしまうことがあり、探索の精度が必ずしも高くない。
【０００５】
そこで、本発明は、より精度良く、放送が行われている周波数を検出することを課題とする。
【課題を解決するための手段】
【０００６】
前記課題達成のために、本発明は、所定の周波数範囲中に所定の周波数間隔毎に配置された周波数の各々である放送可能周波数を用いて放送されるラジオ放送を受信するラジオ放送受信装置に、受信対象周波数として設定された放送可能周波数の放送信号を検出し、受信信号として出力する受信部と、前記受信信号を音声信号に復調して出力する復調部と、前記受信信号の強度を、前記受信部に受信対象周波数として設定されている放送可能周波数の受信強度値として検出する受信強度検出部と、受信制御部とを備えたものである。ここで、前記受信制御部は、受信可能な放送が行われている周波数である放送周波数を検出する放送周波数検出部を有し、当該放送周波数検出部は、前記受信強度値が所定のしきい値より大きい放送可能周波数であって、当該放送可能周波数の前記受信強度値に応じて定まる判定基準値以上、当該放送可能周波数の前記受信強度が、当該放送可能周波数に周波数の増減方向について両側に隣接する二つの放送可能周波数の前記受信強度値の双方よりも大きい放送可能周波数を前記放送周波数として検出する。また、前記受信強度値に応じて定まる前記判定基準値は、前記受信強度値のレベルが大きいほど大きな値として定まるものである。
【０００７】
ここで、以上のラジオ受信装置は、前記受信制御部に、サーチ制御部を設け、当該サーチ制御部において、前記受信部に前記受信対象周波数として設定する放送可能周波数の周波数の増加方向または減少方向への順次更新を行いながら、前記放送周波数検出部に前記放送周波数を検出させ、前記放送周波数が検出されたならば、前記受信部に前記受信対象周波数として設定する放送可能周波数の前記順次更新を停止し、前記受信部の以降の前記受信対象周波数が検出された放送周波数となるように制御するように構成してもよい。
【０００８】
また、以上のラジオ受信装置は、前記受信制御部に、スキャン制御部と、プリセット周波数受信制御部とを設け、前記スキャン制御部において、前記所定の周波数範囲の全域に渡って、前記受信部に前記受信対象周波数として設定する放送可能周波数の周波数の増加方向または減少方向への順次更新を行いながら、前記放送周波数検出部に前記放送周波数を検出させ、放送周波数として検出された各放送可能周波数を、プリセット周波数として保存し、前記プリセット周波数受信制御部において、前記保存されているプリセット周波数のうちからユーザによって選択されたプリセット周波数を、前記受信部に前記受信対象周波数として設定するように構成してもよい。
【０００９】
以上のようなラジオ放送受信機によれば、受信できる放送が行われている放送周波数と当該放送周波数に隣接する放送可能周波数との間には、放送周波数の受信強度値が大きくなると、放送周波数と当該放送周波数に隣接する放送可能周波数の受信強度値の差も大きくなる関係があるのに対して、放送周波数以外の放送可能周波数と当該放送可能周波数に隣接する放送可能周波数の間には、そのような関係は無いことを利用して、受信強度値が大きいほど、放送可能周波数を放送周波数として検出するための、隣接する放送可能周波数の受信強度値との差の条件である判定基準値を大きくするので、放送周波数のみを精度良く検出することができるようになる。
【発明の効果】
【００１０】
以上のように、本発明によれば、より精度良く、放送が行われている周波数を検出することができる。
【図面の簡単な説明】
【００１１】
【図１】本発明の実施形態に係るラジオ受信機の構成を示すブロック図である。
【図２】本発明の実施形態に係る放送周波数サーチ処理を示すフローチャートである。
【図３】本発明の実施形態に係る放送周波数サーチ処理の処理例を示す図である。
【図４】本発明の実施形態に係る放送周波数サーチ処理の処理例を示す図である。
【図５】本発明の実施形態に係る周波数スキャン処理を示すフローチャートである。
【発明を実施するための形態】
【００１２】
以下、本発明に係るラジオ放送受信装置の実施形態を説明する。
図１に、本実施形態に係るラジオ放送受信装置の構成を示す。
図示するように、ラジオ放送受信装置は、アンテナ１と、チューナ２と、オーディオ処理部３と、スピーカ４と、制御部５と、操作部６と、表示装置７とを備えている。
そして、チューナ２は、ＲＦアンプ２０１と、ミキサ２０２と、ＩＦフィルタ２０３と、ＩＦアンプ２０４と、復調器２０５と、アンプ２０６と、局部発振器２０７と、ＰＬＬ２０８と、ＩＦカウンタ検出部２０９と、Ｓメータ検出部２１０と、受信制御部２１１と、メモリ２１２とを備えている。
【００１３】
このような構成において、アンテナ１は放送信号を受信する。
また、チューナ２において、ＲＦアンプ２０１は、アンテナ１からの出力信号を増幅し、ミキサ２０２は、ＲＦアンプ２０１の出力信号に局部発振器２０７で生成される局部発振信号を混合することにより、アンテナ１からの出力信号をＩＦ信号に変換する。ＩＦフィルタ２０３は、ミキサ２０２から出力されるＩＦ信号のうち、所定周波数の信号成分を選択的に通過させ、ＩＦアンプ２０４は、ＩＦフィルタ２０３を通過したＩＦ信号を増幅する。復調器２０５は、ＩＦアンプ２０４で増幅されたＩＦ信号をＡＭ検波してオーディオ信号に復調し、アンプ２０６は、復調器２０５で復調されたオーディオ信号を増幅して、オーディオ処理部３に出力する。
【００１４】
このような構成のチューナ２において、チューナ２が受信する受信周波数は局部発振器２０７で生成される局部発振信号の発振周波数によって決定され、受信制御部２１１は、ＰＬＬ２０８の分周比を制御して局部発振信号の発振周波数を設定することにより、チューナ２の受信周波数を制御する。
【００１５】
また、Ｓメータ検出部２１０は、ＩＦアンプ２０４で増幅されたＩＦ信号の強度を検出してＳメータ値として受信制御部２１１に出力する。ここで、Ｓメータ検出部２１０が検出するＳメータ値は、現在の受信周波数の放送信号の受信強度を表している。また、ＩＦカウンタ検出部２０９は、ＩＦアンプ２０４で増幅されたＩＦ信号の周波数を検出して受信制御部２１１に出力する。
【００１６】
次に、オーディオ処理部３は、入力されたオーディオ信号に、増幅、周波数特性の変更などの音声処理を施してスピーカ４に出力する。
制御部５は、操作部６と表示装置７によるユーザインタフェースを提供しつつ、当該ユーザインタフェースで受け付けたユーザ操作に応じてチューナ２の受信周波数やオーディオ処理部３のオーディオ処理動作を制御する。
【００１７】
以下、このような構成において、チューナ２の受信制御部２１１が行う放送周波数サーチ処理について説明する。
ここで、チューナ２の受信制御部２１１が行う放送周波数サーチ処理は、操作部６に対してユーザのサーチ操作が発生したときに、制御部５によって起動される処理である。また、ユーザから受け付けるサーチ操作にはアップサーチ操作とダウンサーチ操作とがあり、アップサーチ操作によって放送周波数サーチ処理が起動された場合には周波数増加方向が放送周波数サーチ処理におけるサーチ方向として設定され、アップサーチ操作によって放送周波数サーチ処理が起動された場合には周波数減少方向が放送周波数サーチ処理サーチ方向として設定される。
【００１８】
図２にチューナ２の受信制御部２１１が行う放送周波数サーチ処理の手順を示す。
図示するように放送周波数サーチ処理では、受信制御部２１１は、まず、アンプ２０６を制御することによりオーディオ処理部３へのオーディオ信号出力をミュート（停止）する（ステップ２０２）。
次に、i=1として（ステップ２０４）、現在の受信周波数に対してＳメータ検出部２１０が検出しているＳメータ値（受信強度値）をS(i)、現在の受信周波数に対してＩＦカウンタ検出部２０９が検出しているＩＦカウンタ値（周波数）をIFC(i)として保存する（ステップ２０６）。
【００１９】
次に、iが３以上であるかどうかを調べ（ステップ２０８）、３以上でなければ、チューナ２に受信させる受信周波数を、現在の受信周波数からサーチ方向に１ステップ変更する（ステップ２１４）。ここで、１ステップは、放送周波数として用いることのできる周波数の間隔であり、日本国内のAM放送では、１ステップは9kHz、諸外国のAM放送では１ステップは9kHzまたは10kHzのいずれかとなる。なお、混信防止のために、基本的に同一地域内で１ステップ離れて隣接する周波数の双方に放送周波数が割り当てられることはない。
【００２０】
また、受信周波数をサーチ方向に１ステップ変更するとは、１ステップが9kHzであれば、サーチ方向が周波数増加方向であれば、受信周波数を9kHz増加させることを意味し、サーチ方向が周波数減少方向であれば受信周波数を9kHz減少させることを意味する。
【００２１】
そして、iを１増加させ（ステップ２１６）、ステップ２０６からの処理に戻る。
一方、iが３以上であれば（ステップ２０８）、前回の受信周波数（現在の受信周波数にサーチ方向に１ステップ周波数を変化させる前の時点の受信周波数）に対して保存したＩＦカウンタ値IFC(i-1)が所定の周波数範囲内にあるかどうかを調べ（ステップ２１０）、所定の周波数範囲内になければ、チューナ２の受信周波数を、現在の受信周波数からサーチ方向に１ステップ変更し（ステップ２１４）、iを１増加させ（ステップ２１６）、ステップ２０６からの処理に戻る。
【００２２】
一方、前回の受信周波数に対して保存したＩＦカウンタ値IFC(i-1)が所定の周波数範囲内にある場合には（ステップ２１０）、前回の受信周波数に対して保存したS(i-1)が、所定のしきい値Th0 以上であるかどうかを調べ（ステップ２１２）、所定のしきい値Th0 以上でなければチューナ２の受信周波数を、現在の受信周波数からサーチ方向に１ステップ変更し（ステップ２１４）、iを１増加させ（ステップ２１６）、ステップ２０６からの処理に戻る。
【００２３】
一方、前回の受信周波数に対して保存したＳメータ値S(i-1)が、所定のしきい値Th0 以上である場合には（ステップ２１２）、Ｘを以下のように設定する。
すなわち、ThL、ThM、L、M 、Sを、ThL ＞ ThM、L ＞ M ＞ Sを満たすように予め定めた値として、
Ｓメータ値S(i-1)がThL以上であれば（ステップ２１８）Ｘ=Ｌとし（ステップ２３０）、
Ｓメータ値S(i-1)がThL未満かつ ThM以上であれば（ステップ２１８、２２０）Ｘ=Ｍとし（ステップ２３２）、
Ｓメータ値S(i-1)がThM未満であれば（ステップ２１８、２２０）Ｘ=Sとする（ステップ２２２）。
【００２４】
そして、前回の受信周波数のＳメータ値S(i-1)が、前々回の受信周波数のＳメータ値S(i-2)よりＸ以上大きく、かつ、前回の受信周波数のＳメータ値S(i-1)が、現在の受信周波数のＳメータ値S(i)よりＸ以上大きいかどうかを調べる（ステップ２２４）。
【００２５】
そして、前回の受信周波数のＳメータ値S(i-1)が、前々回の受信周波数のＳメータ値S(i-2)よりＸ以上大きくないか、前回の受信周波数のＳメータ値S(i-1)が、現在の受信周波数のＳメータ値S(i)よりＸ以上大きくない場合には（ステップ２２４）、チューナ２の受信周波数を、現在の受信周波数からサーチ方向に１ステップ変更し（ステップ２１４）、iを１増加させ（ステップ２１６）、ステップ２０６からの処理に戻る。
【００２６】
一方、前回の受信周波数のＳメータ値S(i-1)が、前々回の受信周波数のＳメータ値S(i-2)よりＸ以上大きく、かつ、前回の受信周波数のＳメータ値S(i-1)が、現在の受信周波数のＳメータ値S(i)よりＸ以上大きい場合には（ステップ２２４）、前回の受信周波数（Ｓメータ値S(i-1)を検出した周波数）を，受信可能な放送が行われている放送周波数として検出し、チューナ２の受信周波数を前回の受信周波数に設定する（ステップ２２６）。
【００２７】
そして、アンプ２０６を制御してオーディオ処理部３へのオーディオ信号出力を回復し（ステップ２２８）、放送周波数サーチ処理を終了する。
以上、チューナ２の受信制御部２１１が行う放送周波数サーチ処理について説明した。
ここで、このような放送周波数サーチ処理によれば、受信強度（Ｓメータ値）がしきい値Th0 以上の周波数fmであり、かつ、その周波数fmの受信強度が、１ステップ離れて隣接する周波数fm-1及びfm+1の受信強度の双方よりもＸ以上大きい場合に、当該周波数fmが、受信可能な放送が行われている周波数である放送受信周波数として検出される。
【００２８】
また、Ｘの値は、その周波数fmの受信強度（Ｓメータ値）が大きいほど大きく設定される。
そして、これにより、ノイズレベルがしきい値Th0よりも大きい周波数帯域において、放送が行われていない周波数を、放送が行われている周波数として誤検出してしまうことが抑制される。
【００２９】
以下、チューナ２の受信制御部２１１が行う放送周波数サーチ処理による、放送周波数の検出例を示す。
ここで、以下の例では、１ステップ=9kHz、しきい値Th0=34dBμV、ThL=55 dBμV、ThM=45 dBμV、L=15dBμV、M=10dBμV 、S=5dBμVとした場合について示す。すなわち、この場合、
Ｓメータ値が=55 dBμV以上のときはＸ=L=15dBμVとなり、
Ｓメータ値が=45dBμV以上55 dBμV未満のときはＸ=M=10dBμVとなり、
Ｓメータ値が=45 dBμV未満のときはＸ=S=5dBμVとなる。
【００３０】
いま、図３ａは、981 kHz -1017 kHzの周波数帯において計測された受信強度（Ｓメータ値）の例を示す図であり、横軸が周波数、縦軸が受信強度（Ｓメータ値）である。
【００３１】
また、この例では、999 kHzのみが実際に放送が行われている周波数である。
この場合、990kHz、999kHz、1008 kHzにおいて、Ｓメータ値がしきい値Th0=34dBμVを越えているが、990kHz、1008 kHzは、１ステップ離れて隣接する周波数999kHzの方がＳメータ値が大きいので放送周波数としては検出されない。
【００３２】
一方、999kHzについては、999kHzのＳメータ値90dBμVに対して設定されるＸはL=15dBμVとなり、999kHzのＳメータ値90dBμVは、隣接する990kHzのＳメータ値45dBμVと、隣接する1008kHzのＳメータ値40dBμVとの双方よりも、Ｘ=15dBμV以上大きくなるので、999kHzは放送周波数として検出される。
【００３３】
次に、図３ｂは、放送周波数の受信強度が小さい場合の例であり、図３ａと同様に、981 kHz -1017 kHzの周波数帯において計測された受信強度（Ｓメータ値）の例を示している。また、図３ｂにおいても、999 kHzのみが実際に放送が行われている周波数である。
【００３４】
この例では、999kHzのみが、Ｓメータ値がしきい値Th0=34dBμVを越えているので、他の990kHz、1008 kHzは放送周波数としては検出されない。
一方、999kHzについては、999kHzのＳメータ値36dBμVに対して設定されるＸはS=5dBμVとなり、999kHzのＳメータ値36dBμVは、隣接する990kHzのＳメータ値27dBμVと、隣接する1008kHzのＳメータ値25dBμVとの双方よりも、Ｘ=5dBμV以上大きいので、999kHzは放送周波数として検出されることとなる。
【００３５】
ここで、図３ｂに示した場合に、図３ａの場合と同様に、999kHzについてＸ=15dBμVを用いると、999kHzのＳメータ値36dBμVは、隣接する990kHzのＳメータ値27dBμVと、隣接する1008kHzのＳメータ値25dBμVとのいずれよりもＸ=15dBμV以上大きくないので、放送が行われている999kHzが放送周波数として検出されないこととなる。Ｘ=10dBμVを用いる場合も同様であり、99kHzのＳメータ値36dBμVは、隣接する990kHzのＳメータ値27dBμVよりもＸ=10dBμV以上大きくないので、放送が行われている999kHzが放送周波数として検出されないこととなる。
【００３６】
次に、図４ａは、何らかの影響により放送周波数周辺の周波数範囲で全体的にノイズレベルが大きい場合の例であり、981 kHz -1017 kHzの周波数帯において計測された受信強度（Ｓメータ値）の例を示している。また、図４ａにおいては、1008 kHzのみが実際に放送が行われている周波数である。
【００３７】
この例の場合、981 kHz 、990kHz、999kHz、1008 kHz、1017 kHzにおいて、Ｓメータ値がしきい値Th0=34dBμVを越えているが、981 kHz、999kHz、1017 kHzは、１ステップ離れて隣接する周波数999kHzの方がＳメータ値が大きいので放送周波数としては検出されない。
【００３８】
一方、990kHzについては、990kHzのＳメータ値51dBμVに対して設定されるＸはM=10dBμVとなる。そして、990kHzのＳメータ値51dBμVは、隣接する981kHzのＳメータ値43dBμVと、隣接する999kHzのＳメータ値45dBμVのいずれよりも、Ｘ=10dBμV以上大きくはないので、放送周波数としては検出されない。
【００３９】
ここで、図３ｂの場合と同様に、990kHzについてＸ=5dBμVを用いると、990kHzのＳメータ値51dBμVは、隣接する981kHzのＳメータ値43dBμVと、隣接する999kHzのＳメータ値45dBμVとの双方よりも、Ｘ=5dBμV以上大きいので、放送周波数として誤検出されてしまうこととなる。
【００４０】
次に、実際に放送が行われている1008kHzについては、1008kHzのＳメータ値85dBμVに対して設定されるＸはL=15dBμVとなり、1008kHzのＳメータ値85dBμVは、隣接する999kHzのＳメータ値45dBμVと、隣接する1017kHzのＳメータ値48dBμVとの双方よりも、Ｘ=15dBμV以上大きいので放送周波数として検出されることとなる。
【００４１】
以上のように、本実施形態に係る放送周波数サーチ処理では、放送周波数と放送周波数に１ステップ離れて隣接する周波数との間には、放送周波数の受信強度が大きくなると、放送周波数と当該放送周波数に１ステップ離れて隣接する周波数の受信強度の差も大きくなる関係があるのに対して、放送周波数以外の周波数と当該周波数に１ステップ離れて隣接する周波数の間には、そのような関係は無いことを利用して、受信強度が大きいほど放送周波数と見なす条件とする１ステップ離れて隣接する周波数の受信強度との差Ｘを大きくすることにより、放送周波数のみを精度良く検出するようにしている。なお、上述のように、基本的に同一地域内で１ステップ離れて隣接する周波数に放送周波数が割り当てられることはない。
【００４２】
よって、本実施形態によれば、受信可能な放送が行われている周波数を精度良く検出することができる。
次に、チューナ２の受信制御部２１１が行う放送周波数スキャン処理について説明する。
ここで、チューナ２の受信制御部２１１が行う放送周波数スキャン処理は、放送を受信可能な全ての周波数を放送周波数として探索し、探索した各周波数をプリセット周波数としてプリセット番号に対応づけてメモリ２１２に登録する処理である。
【００４３】
なお、制御部５は、プリセット周波数がプリセット番号に対応づけてメモリ２１２に登録されている状態において、操作部６を介したプリセット番号の選択操作が発生すると、受信制御部２１１に選択操作されたプリセット番号に対応づけてメモリ登録されているプリセット周波数をチューナ２の受信周波数に設定させる。
【００４４】
図５に、チューナ２の受信制御部２１１が行う放送周波数スキャン処理の手順を示す。
図示するように、この処理では、まず、受信制御部２１１は、アンプ２０６を制御することによりオーディオ処理部３へのオーディオ信号出力をミュート（停止）する（ステップ５０２）。
次に、i=1、j=1とする（ステップ５０４）
また、チューナ２の受信周波数を、スキャン周波数範囲（受信できる放送が行われている可能性がある周波数の下限と上限の間の周波数範囲：日本国内のAM 放送であれば531kHz-1602kHz）内の最小周波数より１ステップ低い周波数に設定する（ステップ５０６）。
【００４５】
そして、現在の受信周波数に対してＳメータ検出部２１０が検出しているＳメータ値（受信強度値）をS(i)、現在の受信周波数に対してＩＦカウンタ検出部２０９が検出しているＩＦカウンタ値（周波数）をIFC(i)として保存する（ステップ５０８）。
【００４６】
次に、iが３以上であるかどうかを調べ（ステップ５１０）、３以上でなければ、ステップ５１６に進む。
一方、iが３以上であれば（ステップ５１０）、前回の受信周波数（現在の受信周波数に１ステップ周波数を増加させる前の時点の受信周波数）に対して保存したＩＦカウンタ値IFC(i-1)が所定の周波数範囲内にあるかどうかを調べ（ステップ５１２）、所定の周波数範囲内になければ、ステップ５１６に進む。
【００４７】
一方、前回の受信周波数に対して保存したＩＦカウンタ値IFC(i-1)が所定の周波数範囲内にある場合には（ステップ５１２）、前回の受信周波数に対して保存したS(i-1)が、所定のしきい値Th0 以上であるかどうかを調べ（ステップ５１４）、所定のしきい値Th0 以上でなければ、ステップ５１６に進む。
【００４８】
一方、前回の受信周波数に対して保存したＳメータ値S(i-1)が、所定のしきい値Th0 以上である場合には（ステップ５１４）、Ｓメータ値S(i-1)がThL以上であれば（ステップ５２２）、Ｘ=Ｌとし（ステップ５３６）、Ｓメータ値S(i-1)がThL未満かつ ThM以上であれば（ステップ５２４）、Ｘ=Ｍとし（ステップ５３８）、Ｓメータ値S(i-1)がThM未満であればＸ=Sとする（ステップ５２６）。
【００４９】
そして、前回の受信周波数のＳメータ値S(i-1)が、前々回の受信周波数のＳメータ値S(i-2)よりＸ以上大きく、かつ、前回の受信周波数のＳメータ値S(i-1)が、現在の受信周波数のＳメータ値S(i)よりＸ以上大きいかどうかを調べる（ステップ５２８）。
【００５０】
そして、前回の受信周波数のＳメータ値S(i-1)が、前々回の受信周波数のＳメータ値S(i-2)よりＸ以上大きくないか、前回の受信周波数のＳメータ値S(i-1)が、現在の受信周波数のＳメータ値S(i)よりＸ以上大きくない場合には（ステップ５２８）、ステップ５１６に進む。
【００５１】
一方、前回の受信周波数のＳメータ値S(i-1)が、前々回の受信周波数のＳメータ値S(i-2)よりＸ以上大きく、かつ、前回の受信周波数のＳメータ値S(i-1)が、現在の受信周波数のＳメータ値S(i)よりＸ以上大きい場合には（ステップ５２８）、前回の受信周波数（Ｓメータ値S(i-1)を検出した周波数）をプリセット周波数としてプリセット番号ｊに対応づけてメモリ２１２に登録する（ステップ５３０）。そして、ｊを１増加し（ステップ５３２）、ステップ５１６に進む。
【００５２】
そして、以上のようにしてステップ５１６に進んだならば、現在の受信周波数が、スキャン周波数範囲内の最大の周波数を１ステップ増加させた周波数と等しいかどうかを調べ、等しくなければ、チューナ２の受信周波数を、現在の受信周波数から１ステップ増加し（ステップ５１８）、iを１増加させ（ステップ５２０）、ステップ５０８からの処理に戻る。
【００５３】
一方、現在の受信周波数が、スキャン周波数範囲内の最大の周波数を１ステップ増加させた周波数と等しければ（ステップ５１６）、アンプ２０６を制御してオーディオ処理部３へのオーディオ信号出力を回復し（ステップ５３２）、放送周波数スキャン処理を終了する。
【００５４】
以上、チューナ２の受信制御部２１１が行う放送周波数スキャン処理について説明した。
このような放送周波数スキャン処理によれば、放送周波数サーチ処理と同様に受信可能な放送が行われている周波数を精度良く検出し、プリセット周波数として登録することができる。
【符号の説明】
【００５５】
１…アンテナ、２…チューナ、３…オーディオ処理部、４…スピーカ、５…制御部、６…操作部、７…表示装置、２０１…ＲＦアンプ、２０２…ミキサ、２０３…ＩＦフィルタ、２０４…ＩＦアンプ、２０５…復調器、２０６…アンプ、２０７…局部発振器、２０８…ＰＬＬ、２０９…ＩＦカウンタ検出部、２１０…Ｓメータ検出部、２１１…受信制御部、２１２…メモリ。
【図１】
2015201675.tif 000003
【図２】
2015201675.tif 000004
【図３】
2015201675.tif 000005
【図４】
2015201675.tif 000006
【図５】
2015201675.tif 000007
【手続補正書】
【提出日】平成27年2月5日(2015.2.5)
【手続補正１】
【補正対象書類名】特許請求の範囲
【補正対象項目名】全文
【補正方法】変更
【補正の内容】
【特許請求の範囲】
【請求項１】
所定の周波数範囲中に所定の周波数間隔毎に配置された周波数の各々である放送可能周波数を用いて放送されるラジオ放送を受信するラジオ放送受信装置であって、
受信対象周波数として設定された放送可能周波数の放送信号を検出し、受信信号として出力する受信部と、
前記受信信号を音声信号に復調して出力する復調部と、
前記受信信号の強度を、前記受信部に受信対象周波数として設定されている放送可能周波数の受信強度値として検出する受信強度検出部と、
受信制御部とを有し、
前記受信制御部は、受信可能な放送が行われている周波数である放送周波数を検出する放送周波数検出部を有し、
当該放送周波数検出部は、前記受信強度値が所定のしきい値より大きい放送可能周波数であって、当該放送可能周波数の前記受信強度値に応じて定まる判定基準値以上、当該放送可能周波数の前記受信強度値が、当該放送可能周波数に周波数の増減方向について両側に隣接する二つの放送可能周波数の前記受信強度値の双方よりも大きい放送可能周波数を前記放送周波数として検出し、
前記受信強度値に応じて定まる前記判定基準値は、前記受信強度値のレベルが大きいほど大きな値として定まることを特徴とするラジオ放送受信装置。
【請求項２】
請求項１記載のラジオ放送受信装置であって、
前記受信制御部は、サーチ制御部を有し、
当該サーチ制御部は、前記受信部に前記受信対象周波数として設定する放送可能周波数の周波数の増加方向または減少方向への順次更新を行いながら、前記放送周波数検出部に前記放送周波数を検出させ、前記放送周波数が検出されたならば、前記受信部に前記受信対象周波数として設定する放送可能周波数の前記順次更新を停止し、前記受信部の以降の前記受信対象周波数が検出された放送周波数となるように制御することを特徴とするラジオ放送受信装置。
【請求項３】
請求項１または２記載のラジオ放送受信装置であって、
前記受信制御部は、スキャン制御部と、プリセット周波数受信制御部とを有し、
当該スキャン制御部は、
前記所定の周波数範囲の全域に渡って、前記受信部に前記受信対象周波数として設定する放送可能周波数の周波数の増加方向または減少方向への順次更新を行いながら、前記放送周波数検出部に前記放送周波数を検出させ、放送周波数として検出された各放送可能周波数を、プリセット周波数として保存し、
前記プリセット周波数受信制御部は、前記保存されているプリセット周波数のうちからユーザによって選択されたプリセット周波数を、前記受信部に前記受信対象周波数として設定することを特徴とするラジオ放送受信装置。
【請求項４】
所定の周波数範囲中に所定の周波数間隔毎に配置された周波数の各々である放送可能周波数を用いて放送されるラジオ放送を受信するラジオ放送受信装置において、受信可能な放送が行われている周波数である放送周波数を検出する放送周波数検出方法であって、
前記ラジオ放送受信装置は、受信対象周波数として設定された放送可能周波数の放送信号を検出し、受信信号として出力する受信部と、前記受信信号を音声信号に復調して出力する復調部と、前記受信信号の強度を、前記受信部に受信対象周波数として設定されている放送可能周波数の受信強度値として検出する受信強度検出部とを有し、
当該放送周波数検出方法は、
前記受信強度値が所定のしきい値より大きい放送可能周波数を検出するステップと、
検出した放送可能周波数の前記受信強度値に応じて、当該受信強度値のレベルが大きいほど大きな値となるように判定基準値を設定するステップと、
検出した放送可能周波数の前記受信強度値が、設定された前記判定基準値以上、当該放送可能周波数当該放送可能周波数に周波数の増減方向について両側に隣接する二つの放送可能周波数の前記受信強度値の双方よりも大きい場合に、検出した放送可能周波数を前記放送周波数として検出するステップとを有することを特徴とする放送周波数検出方法。
【請求項５】
所定の周波数範囲中に所定の周波数間隔毎に配置された周波数の各々である放送可能周波数を用いて放送されるラジオ放送を受信するラジオ放送受信装置において、受信可能な放送が行われている周波数である放送周波数を探索する放送周波数サーチ方法であって、
前記ラジオ放送受信装置は、受信対象周波数として設定された放送可能周波数の放送信号を検出し、受信信号として出力する受信部と、前記受信信号を音声信号に復調して出力する復調部と、前記受信信号の強度を、前記受信部に受信対象周波数として設定されている放送可能周波数の受信強度値として検出する受信強度検出部とを有し、
当該放送周波数サーチ方法は、前記受信部に前記受信対象周波数として設定する放送可能周波数の周波数の増加方向または減少方向への順次更新を行いながら、放送周波数検出ステップを行って放送周波数を検出し、前記放送周波数が検出されたならば、前記受信部に前記受信対象周波数として設定する放送可能周波数の前記順次更新を停止し、前記受信部の以降の前記受信対象周波数が検出された放送周波数となるように制御する探索ステップを有し、
前記放送周波数検出ステップにおいて、前記受信強度値が所定のしきい値より大きい放送可能周波数であって、当該放送可能周波数の前記受信強度値に応じて当該受信強度値のレベルが大きいほど大きな値となるよう定まる判定基準値以上、当該放送可能周波数の前記受信強度値が、当該放送可能周波数に周波数の増減方向について両側に隣接する二つの放送可能周波数の前記受信強度値の双方よりも大きい放送可能周波数を前記放送周波数として検出することを特徴とする放送周波数サーチ方法。
【請求項６】
所定の周波数範囲中に所定の周波数間隔毎に配置された周波数の各々である放送可能周波数を用いて放送されるラジオ放送を受信するラジオ放送受信装置において、受信可能な放送が行われている周波数である放送周波数の全てを探索し、プリセット周波数として登録する放送周波数スキャン方法であって、
前記ラジオ放送受信装置は、受信対象周波数として設定された放送可能周波数の放送信号を検出し、受信信号として出力する受信部と、前記受信信号を音声信号に復調して出力する復調部と、前記受信信号の強度を、前記受信部に受信対象周波数として設定されている放送可能周波数の受信強度値として検出する受信強度検出部とを有し、
当該放送周波数スキャン方法は、
前記所定の周波数範囲の全域に渡って、前記受信部に前記受信対象周波数として設定する放送可能周波数の周波数の増加方向または減少方向への順次更新を行いながら、放送周波数検出ステップを行って放送周波数を検出し、放送周波数として検出された各放送可能周波数を、プリセット周波数として登録するプリセット周波数登録ステップを有し、
前記放送周波数検出ステップにおいて、前記受信強度値が所定のしきい値より大きい放送可能周波数であって、当該放送可能周波数の前記受信強度値に応じて当該受信強度値のレベルが大きいほど大きな値となるよう定まる判定基準値以上、当該放送可能周波数の前記受信強度値が、当該放送可能周波数に周波数の増減方向について両側に隣接する二つの放送可能周波数の前記受信強度値の双方よりも大きい放送可能周波数を前記放送周波数として検出することを特徴とする放送周波数スキャン方法。